(57)【要約】着脱可能な記録担体上の情報ブロックを記録及び取得するための記憶装置が記載される。インタフェース（４４）を介して、前記装置はコマンド、ユーザデータブロック及びファイル管理情報を有するメタデータブロックを受信する。前記装置は不揮発性メモリ（３１）、メタデータブロック検出ユニット（４７）及び制御ユニット（２０）を持つ。前記装置は、例えばイジェクトコマンドのような更新条件を検出するまで、前記メタデータブロックを前記不揮発性メモリに一時的に保存する。前記更新条件は、前記記録担体が別の記憶装置において利用可能である状態に、前記着脱可能な記録担体が更新されるべきであることを示す。前記更新条件が検出された場合、前記メタデータブロックは前記不揮発性メモリから前記記録担体（４９）に転送される。
2005526350.tif 000002
【特許請求の範囲】
【請求項１】
着脱可能な記録担体上の記録可能なエリアに情報ブロックを記録するための及び該エリア中の情報ブロックを取得するための記憶装置において、前記装置は、
とりわけ書き込みコマンド及び読み取りコマンドといったコマンドを受信し、とりわけユーザデータブロック、及びファイル管理システムに従ってフォーマットされたファイル管理情報を有するメタデータブロックといった前記情報ブロックを転送するためのデータインタフェース手段と、
不揮発性メモリと、
メタデータを有する情報ブロックを検出するためのメタデータブロック検出手段と、
前記情報ブロックの記録及び取得を制御するための制御手段と、
を有し、前記制御手段は、
前記メタデータブロックを前記不揮発性メモリに保存する手段と、
更新条件を検出する手段と、
を有し、ここで前記更新条件は、前記着脱可能な記録担体の更新された状態への更新に関するものであり、前記更新された状態とは、前記記録担体が別の記憶装置において利用可能である状態であり、前記制御手段は更に、
前記更新条件が検出された場合に、前記メタデータブロックを前記不揮発性メモリから前記記録担体に転送する手段を有する装置。
【請求項２】
前記メタデータブロック検出手段は、前記ファイル管理システムによって適用されたフォーマットによりメタデータブロックを検出する、請求項１に記載の装置。
【請求項３】
前記メタデータブロック検出手段は、前記情報ブロックが前記記録担体上の専用のファイル管理エリアに保存されるものであることを前記データインタフェースにおいて受信されたアドレス情報から検出することによりメタデータブロックを検出する、請求項１に記載の装置。
【請求項４】
前記メタデータブロック検出手段は、前記データインタフェース手段によって受信された書き込みコマンドに追加された所定のコマンド又はパラメータによってメタデータブロックを検出する、請求項１に記載の装置。
【請求項５】
前記更新条件を検出する手段は、前記データインタフェースからイジェクトコマンド又は更新コマンドを検出する、請求項１に記載の装置。
【請求項６】
前記装置は、前記装置から前記記録担体を取り外すためのユーザ操作可能なスイッチを有し、前記更新条件を検出する手段は、前記スイッチの操作を検出する、請求項１に記載の装置。
【請求項７】
前記装置は、前記データインタフェース手段に結合されたオーディオ及び／又はビデオデータを処理するための入力ユニットを有する、請求項１に記載の装置。
【請求項８】
着脱可能な記録担体上の記録可能なエリアに情報ブロックを保存する方法において、前記方法は、
とりわけ書き込みコマンド及び読み取りコマンドといったコマンドをデータインタフェースにおいて受信するステップと、
とりわけユーザデータブロック、及びファイル管理システムに従ってフォーマットされたファイル管理情報を有するメタデータブロックといった情報ブロックを、前記データインタフェースを介して転送するステップと、
前記メタデータを有する前記情報ブロックを検出することにより前記メタデータブロックを検出するステップと、
前記情報ブロックの記録及び取得を制御するステップと、
を有し、前記制御するステップは、
前記メタデータブロックを不揮発性メモリに保存するステップと、
更新条件を検出するステップと、
を有し、ここで前記更新条件は、前記着脱可能な記録担体の更新された状態への更新に関するものであり、前記更新された状態とは、前記記録担体が別の記憶装置において利用可能である状態であり、前記制御するステップは更に、
前記更新条件が検出された場合に、前記メタデータブロックを前記不揮発性メモリから前記記録担体に転送するステップを有する方法。
【請求項９】
請求項８に記載の方法をプロセッサに実行させるように動作可能な、情報を保存するためのコンピュータプログラム。
【発明の詳細な説明】
【技術分野】
【０００１】
本発明は、情報ブロックを記録及び取得するための記憶装置に関する。
【０００２】
本発明は更に、情報ブロックを保存する方法に関する。
【０００３】
本発明は更に、情報ブロックを保存するためのコンピュータプログラムに関する。
【背景技術】
【０００４】
記録担体に情報を保存する装置及び方法は、米国特許ＵＳ６，２１９，６９３より知られている。データインタフェースを介してアダプタに結合されたホストコンピュータから成るデータ処理プラットフォームに渡って分散されたファイルシステムを有する、綴じ込み（file-away）記憶アーキテクチャが記載されている。前記アダプタにおいて、入力／出力サブシステム及び不揮発性メモリが配置される。前記アダプタは、第２のデータインタフェースを介して、少なくとも１つの例えばハードディスクのような標準的なタイプの記憶装置に結合される。前記サブシステムは、ローカルのファイル管理システムのタスクを独立して実行する。前記アーキテクチャの分散された特質は、クライアント−サーバ型コンピューティングモデルによるファイルシステムの実装を可能とする。前記サーバのファイルシステムは前記アダプタにおいて動作し、メタデータを不揮発性メモリに保存するように決定する。ホストコンピュータには、前記アダプタにおいて実行される機能のため、高速記憶システムが備えられる。
【発明の開示】
【発明が解決しようとする課題】
【０００５】
しかしながら、前記アダプタ及び前記独立したサーバのファイルシステムは複雑である。更に前記アダプタは、主にハードディスク型の、標準的なタイプの記憶装置に結合されるように構成される。前記不揮発性メモリにおけるメタデータの保存の制御は、かような標準的なタイプの装置のみと結合されたサーバのファイルシステムの機能に基づくこととなる。問題は、前記サーバのファイルシステムの性能が特定のタイプの記憶装置について最適でないという点である。
【０００６】
本発明の目的は、より複雑でなく、上述の問題を解決する、情報を記憶するためのシステムを提供することにある。
【課題を解決するための手段】
【０００７】
この目的のため、最初の段落において記載された記憶装置は、着脱可能な記録担体上の記録可能なエリアに情報ブロックを記録し及び該エリア中の情報ブロックを取得し、とりわけ書き込みコマンド及び読み取りコマンドといったコマンドを受信し、とりわけユーザデータブロック、及びファイル管理システムに従ってフォーマットされたファイル管理情報を有するメタデータブロックといった前記情報ブロックを転送するためのデータインタフェース手段と、不揮発性メモリと、メタデータを有する情報ブロックを検出するためのメタデータブロック検出手段と、前記情報ブロックの記録及び取得を制御するための制御手段と、を有し、前記制御手段は、前記メタデータブロックを前記不揮発性メモリに保存する手段と、更新条件（update condition）を検出する手段と、を有し、ここで前記更新条件は、前記着脱可能な記録担体の更新された状態への更新に関するものであり、前記更新された状態とは、前記記録担体が別の記憶装置において利用可能である状態であり、前記制御手段は更に、前記更新条件が検出された場合に、前記メタデータブロックを前記不揮発性メモリから前記記録担体に転送する手段を有する。最初の段落において記載された方法は、着脱可能な記録担体上の記録可能なエリアに情報ブロックを記録し及び該エリア中の情報ブロックを取得し、とりわけ書き込みコマンド及び読み取りコマンドといったコマンドをデータインタフェースにおいて受信するステップと、とりわけユーザデータブロック、及びファイル管理システムに従ってフォーマットされたファイル管理情報を有するメタデータブロックといった情報ブロックを前記データインタフェースを介して転送するステップと、前記メタデータを有する前記情報ブロックを検出することにより前記メタデータブロックを検出するステップと、前記情報ブロックの記録及び取得を制御するステップと、を有し、前記制御するステップは、前記メタデータブロックを不揮発性メモリに保存するステップと、更新条件を検出するステップと、を有し、ここで前記更新条件は、前記着脱可能な記録担体の更新された状態への更新に関するものであり、前記更新された状態とは、前記記録担体が別の記憶装置において利用可能である状態であり、前記制御するステップは更に、前記更新条件が検出された場合に、前記メタデータブロックを前記不揮発性メモリから前記記録担体に転送するステップを有する。本方法は、前記着脱可能な記録担体が前記装置に装着されている間、前記不揮発性メモリがメタデータ記憶装置として効果的に利用されるという利点を持つ。このことは、前記記録担体上のデータへのアクセスの速度を増大させる。なぜなら、シークオーバヘッド限界と呼ばれる、前記メタデータにアクセスするための前記記録担体の書き込み及び／又は読み取りが少なくなるからである。とりわけ、リマウント時、即ち前記記録担体をイジェクトすることなくホストシステムをリブートした後の前記装置の再起動時における速度が増大する。なぜなら、関連するメタデータは依然として前記不揮発性メモリ内にあるからである。ホストシステムの停電又は「ハングアップ」の後にも、同様のことが当てはまる。加えてこのことは、しばしば変更されるメタデ��タを含む記録担体の位置についての磨耗の量を制限するという利点がある。このことはとりわけ、再書き込みの磨耗のため位置毎に制限された数の上書きのみしか扱えない相変化型の光ディスクについて関連する。他の利点は、電力消費が減少させられる点である。このことは、携帯型装置の場合に非常に有用である。更に、前記更新するステップは、前記記録担体が前記装置から取り外される前に自動的に追加されることに留意されたい。また、同一の記録担体が前記装置に留まっている限り、マウント時間と呼ばれる前記装置の起動時間は短縮される。なぜなら、前記メタデータ（の一部）は既に前記不揮発性メモリにおいて利用可能であるからである。それ故前記装置は、いずれのユーザの介入をも必要とすることなく、着脱可能なタイプの記録担体について増大された性能を持つ。
【０００８】
本発明は以下の認識に基づく。第１に、本発明者は、メタデータの恒常的な記憶のために不揮発性メモリを持つことは有利であるが、比較的高価でもあることを認識した。このことは、高価な付加的なインタフェースを必要とする、媒体又はカートリッジに組み込まれた不揮発性メモリを持つ着脱可能なタイプの記録担体についても当てはまる。それ故、大容量記録装置及び消費者用途のためには、かような不揮発性メモリによる方法は実行可能でない。その他では、標準的なキャッシュによる方法又は米国特許ＵＳ６，２１９，６９３に記載されるような専用のメタデータキャッシュによる方法は、着脱可能な（光）媒体については適切ではない。標準的なファイルシステム構成を実行する標準的なホストシステムへのインタフェースを可能としない、サーバのファイルシステムを実行するアダプタが記載されている。かようなアーキテクチャは、汎用的なファイルシステムの互換性を欠く。また前記アダプタの記憶装置インタフェースは、着脱可能な記録担体を持つ記憶装置のために最適化されていない。とりわけ、前記記憶装置に与えられるイジェクトコマンドを検出する方法がなく、それ故更新条件が検出されることができない。本発明者は、前記記憶装置の内部に不揮発性メモリを持ち、前記記憶装置内で前記メタデータ及び前記更新条件を検出することに解決方法が存することを認識した。このことは、低速な又は再書き込み可能回数の低い媒体における、略標準的なファイル管理又はオペレーティングシステムソフトウェアへのインタフェースを可能とする。
【０００９】
前記装置の実施例においては、前記メタデータブロック検出手段は、前記ファイル管理システムによって適用されたフォーマットによりメタデータブロックを検出する。このことは、前記記憶装置が前記ホストコンピュータにおけるファイル管理システムと独立に動作するという利点を持つ。それ故、当該ファイル管理システムは、いずれの特定の設定をも必要とせず、又は特定のコマンドを発行する必要がない。このことはユーザにとって真のプラグ−アンド−プレイ状況に帰着する。
【００１０】
前記装置の実施例においては、前記メタデータブロック検出手段は、前記データインタフェース手段において受信されたアドレス情報から、情報ブロックが前記記録担体上の専用のファイル管理エリアに保存されるものであることを検出することにより、メタデータブロックを検出する。このことは、例えば前記ファイル管理エリアを連続して読み取る、書き込む及び／又は更新することにより、前記装置が前記ファイル管理エリアにメタデータを効率的に記録するように構成されるという利点を持つ。
【００１１】
「8th IEEE Workshop on Hot Topic in Operating System（HOTOS-VIII）」（Schloss Elmau, Germany, 2001年5月）において論文が発表されていることに留意されたい。Ethan L. Miller、Scott A. Brandt及びDarrel D. E. Longによる「HeRMES: High-Performance Reliable MRAM-Enabled Storage」と題された本論文は、メタデータを恒常的に保存するためのＭＲＡＭタイプの不揮発性メモリを持つ装置を記載している。更に、不揮発性のランダムアクセスメモリにのみファイル管理データを持つという利点を利用した特定のファイル管理システムが記載されている。しかしながら、標準的なファイルシステムに従ってデータを保存するための標準的なインタフェースを介してインタフェース接続する着脱可能な記録担体のための装置は議論されていない。
【００１２】
本発明のこれらの及び他の態様は、以下の説明において例として説明される実施例を参照しながら、及び添付する図を参照しながら、更に説明され明らかとなるであろう。異なる図において対応する要素は同一の参照番号を持つ。
【発明を実施するための最良の形態】
【００１３】
図１は、着脱可能な記録担体のための記憶装置を示す。情報ブロックを記録及び取得するための記憶装置４２は破線によって示される。記憶装置４２は、データインタフェース４３を介して、例えばホストコンピュータのようなユーザデータ処理装置４１に結合される。記録担体１１は装置４２内に模式的に示され、着脱可能であり、例えば交換可能なハードディスクカートリッジ又は光ディスクのような、異なる記録担体によって置換可能である。前記情報ブロックは、前記記録担体上の記録可能なエリアに保存されるものである。前記装置は、とりわけ書き込み及び読み取りコマンドのようなコマンドを受信し、前記情報ブロックをホストコンピュータ４１に転送するためのデータインタフェースユニット４４を持つ。前記情報ブロックは、ユーザデータブロックとメタデータブロックとを有する。前記メタデータブロックは、通常ＵＤＦ（例えば
2005526350.tif 000003
より取得可能な「Universal Disk Format Specification Revision 2.01」を参照）のような標準的なファイルシステムのようなファイル管理システム（ＦＳ）に従ってフォーマットされたファイル管理情報を含む。前記装置は、前記情報ブロックをスクリーニングするためのデータインタフェースユニット４４に結合されたメタデータ検出ユニット４７と、前記ユーザデータブロックを処理するためのメタデータ検出ユニット４７に結合された読み取り／書き込みユニット４６とを持つ。前記装置は更に、前記メタデータブロックを処理するためのメタデータ検出ユニット４７に結合された不揮発性メモリ３１を持つ。前記記録担体に記録されるべき、前記装置に入力された情報ブロックは、最初にメタデータ検出ユニット４７において受信され、メタデータ検出ユニット４７は前記情報ブロックのタイプを決定する。前記検出は以下に詳細に説明される。メタデータタイプの情報ブロックは不揮発性メモリ３１に転送され、該メモリに保存される。ユーザデータブロックは、一般的な書き込み／読み取りユニット４６に結合される。前記一般的な書き込み／読み取りユニットは、記録担体１１に前記ユーザデータブロックを書き込むように、及び／又は記録担体１１から前記ユーザデータブロックを読み取るように構成される。前記装置の実施例においては、一般的な書き込み／読み取りユニット４６は更に、従来の方法により前記ユーザデータブロックを一時的に保存するための、一般的なキャッシュメモリを持つ。前記装置は、メタデータ検出ユニット４７と協働して前記情報ブロックの記録及び取得を制御するための、例えばマイクロプロセッサユニットのような制御ユニット２０を持つ。前記制御ユニットはまた、更新条件を検出するように構成される。前記更新条件は、前記着脱可能な記録担体を更新された状態に更新することに関する。前記更新された状態とは、前記記録担体は、とりわけ前記記録担体を前記装置から取り外した後に、別の記憶装置において利用可能である状態である。前記更新条件が検出された場合、前記制御ユニットは更新処理４９を実行する。更新４９の間、不揮発性メモリ３１の内容は記録担体１１に転送される。
【００１４】
前記装置の実施例においては、メタデータブロック検出ユニット４７は、ファイル管理システムによって適用されたフォーマットにより、メタデータブロックを検出するように構成される。前記ファイル管理システムは通常、前記情報ブロックに特定のパラメータを追加する。前記パラメータは例えば、ＵＤＦファイルシステムにおいて定義されるような情報ブロックのヘッダに追加される特定の情報である。メタデータブロック検出ユニット４７は、前記ヘッダ中の特定の値を検出し、前記情報ブロックがメタデータを含むか否かを決定する。加えて記録システムにおいて、標準的なファイルシステムのデータブロックとしてフォーマットされていないメタデータブロックを含む、対処され保存されるべき特定のタイプのデータが定義されても良い。かような特定のメタデータはまた、本明細書において言及される場合、メタデータブロックの概念に含まれることに留意されたい。例えば提案されるＣＤ２ディスクフォーマットは、ディジタル権利管理データ（ＤＲＭ、権利及び鍵）を含むディスク上の特定のエリアを含み、該エリアは隠しチャネルによって保護される。当該データは、特定の提案されるデータ記録システムにおいて必要に応じてドライブによってキャッシュされる必要がある。ＣＤ２システムにおいては、ファイルレベルにではなくセクタレベルに暗号化が行われる。一方、権利及び鍵はファイルレベルか又はそれより高いレベルで定義される。ＣＤ２のＤＲＭデータは、ＵＤＦ構造の一部でもなくＵＤＦ構造によって参照もされないが、ファイルシステムのメタデータでない他の種類のメタデータの例である。実施例において、前記ＤＲＭメタデータは、適用されるいずれのブロックフォーマットをも用いずに、不揮発性メモリのキャッシュに書き込まれることができる。ＣＤ２システムのためにこの時点で提案される権利の幾つかは更に、当該キャッシュに依存する（例えばプレイヤ毎にディスクｘをｎ回再生する）。前記規格は消耗可能な及び更新可能な権利を可能とする。現在のＤＲＭ状態は、前記ディスクにおいて最新である必要がある。しかしながら、記録可能なディスク（１度書き込み可能）が利用され、現在のＤＲＭ状態が前記状態が変化する各時点においてディスクに書き込まれる場合、前記媒体の多くの開き領域が浪費される。権利が前記ドライブにキャッシュされ、イジェクト時にのみ書き込まれる場合には、いずれの機能を失うことなく多くの開き領域が節約される。従って、鍵及び権利パラメータをキャッシュすることが前記問題の一部を解決する。本方法には１つの欠点があり、該欠点とは、前記権利がディスクに保存される前に前記ドライブが電力を失った場合（例えばコールドリブート（cold reboot））、前記情報が失われディスクも失われるという点である。このことは深刻な問題である。なぜなら、消費者は自身の権利に対して支払いを行っており、消費者はこのようにして金額を失っているかどうかを認識しないからである。この問題に対する１つの解決方法は、他の媒体即ちハードディスクに前記権利をキャッシュすることであり得るが、このことは負のセキュリティの影響を持つ。この欠点に対する解決方法は、前記ドライブにおいてＮＶＲＡＭを適用することである���これにより前記ドライブはパワーがダウンした後でもいずれの未決定のディスク更新をも完了することができる。
【００１５】
前記装置の実施例においては、前記メタデータブロック検出手段は、前記データインタフェース手段において受信されたアドレス情報に基づいてメタデータブロックを検出するように構成される。本実施例のための記録担体は、前記メタデータを保存するための特定のファイル管理エリア４８を持つ。ファイル管理エリア４８のアドレスの範囲内においてアドレスを検出することにより、情報ブロックが前記記録担体上の専用のファイル管理エリアに保存されるものであることが決定される。前記検出されたメタデータブロックは、前記更新条件が検出されるまで不揮発性メモリ３１に保存される。例えば、殆どのＵＤＦ実装は現在、ファイルシステムデータを記録するためディスクの特定の部分を利用している。当該エリアを認識しキャッシュすることは、この特殊なドライブにおいてＵＤＦディスクの性能を劇的に改善し得る。
【００１６】
前記装置の実施例においては、前記メタデータブロック検出手段は、前記ファイルシステムによって与えられたコマンドを監視することにより、メタデータブロックを検出するように構成される。例えば特定のコマンド若しくはパラメータ又はタグが、メタデータを書き込むための書き込みコマンドに追加されても良い。代替として、前記ファイル管理システムがかようなパラメータを前記書き込みコマンドに追加するように構成されても良い。
【００１７】
前記装置の実施例においては、前記制御ユニットが、前記データインタフェースからのイジェクトコマンド又は更新コマンドの検出に基づいて更新条件を検出するように構成される。例えばユーザは、前記記録担体を前記記憶装置からイジェクトするために前記ホストコンピュータにコマンドを与え得る。前記ホストコンピュータはこのとき、前記ユーザコマンドを解釈し、データインタフェース４３を介して前記コマンドを転送する。
【００１８】
前記装置の実施例においては、前記装置は例えばイジェクトボタンのような、前記記録担体を前記装置から取り外すためのユーザ操作可能なスイッチを有する。前記制御ユニットは、前記スイッチの操作を検出することにより更新条件を検出するように構成される。
【００１９】
上述の実施例において、メタデータブロックの書き込みが説明された。勿論、読み取りコマンドについての対応するアプローチも利用され得る。メタデータ検出ユニット４７は同様に、前記記録担体から又は前記読み取りコマンドから取得された情報ブロック中のメタデータブロックを検出するように構成されても良い。前記メタデータブロックは、続いて不揮発性メモリ３１に保存される。メタデータ読み取りコマンドに対して、不必要に前記記録担体にアクセスすることを防ぐため、前記不揮発性メモリの内容が最初に検査される。前記装置の実施例においては、前記制御ユニットは、記録担体が前記装置に挿入された後に、独立に即ち読み取りコマンドなしに、前記記録担体から不揮発性メモリ３１にメタデータブロックを転送するように構成される。例えば、前記装置は、前記ディスクにおいて利用されているファイル管理システムのタイプを認識し、例えば存在するメタデータで前記不揮発性メモリを満たすためのバックグラウンド処理として、前記ファイル管理エリアからの前記メタデータの読み取りを開始するように構成される。
【００２０】
図２ａは、トラック９及び中央穴１０を持つディスク型の記録担体１１を示す。情報を表す記録された（記録されるべき）一連のマークの位置であるトラック９は、情報層に略平行なトラックを構成する巻の螺旋パターンに従って配置される。前記記録担体は、光ディスクと呼ばれる、光学的に読み取り可能なものであっても良く、記録可能なタイプの情報層を持つ。記録可能なディスクの例は、ＣＤ−Ｒ及びＣＤ−ＲＷ、ＤＶＤ＋ＲＷのような書き込み可能なバージョンのＤＶＤ、並びにブルーレイディスク（Blue-ray Disc、ＢＤ）と呼ばれる青色レーザを利用する高密度の書き込み可能光ディスクである。ＤＶＤディスクについての更なる詳細は、参考文献ECMA-267:「120mm DVD-Read Only Disc-」（１９９７年）において見出されることができる。前記情報は、前記トラックに沿った光学的に検出可能なマークを記録することにより前記情報層に表される。前記マークは例えば、相変化物質における結晶又は非結晶のマークである。記録可能なタイプの記録担体のトラック９は、ブランクの記録担体の製造の間に備えられる予めエンボスされた（pre-embossed）トラック構造によって示される。前記トラック構造は、例えば走査の間読み取り／書き込みヘッドが前記トラックを追従することを可能とするプリグルーブ１４によって構成される。前記トラック構造は、通常情報ブロックと呼ばれる情報の単位の位置を示すための、例えばアドレスのような位置情報を有する。前記位置情報は、かような情報ブロックの先頭を見つけるための特定の同期マークを含む。前記位置情報は、以下に説明するように、変調されたウォブルのフレームに符号化される。
【００２１】
図２ｂは、記録可能なタイプの記録担体１１の、線ｂ−ｂに沿ってとられた断面図である。ここで透明な基板１５は、記録層１６と保護層１７とを備える。保護層１７は、例えば記録層が０．６ｍｍの基板にあり、該記録層の背面に０．６ｍｍの更なる基板が接合されているＤＶＤにおけるように、更なる基板層を有しても良い。プリグルーブ１４は、基板１５物質の窪み若しくは隆起として、又は周囲から逸脱した物質特性として実装されても良い。
【００２２】
記録担体１１は、標準化されたファイル管理システムに従って情報ブロック中に情報を担持するように意図されている。
【００２３】
図３は、例えばＣＤ−Ｒ若しくはＣＤ−ＲＷ又はＤＶＤ＋ＲＷ若しくはＢＤのような、書き込み可能な又は再書き込み可能なタイプの記録担体１１に情報を書き込む記録装置を示す。前記装置は、前記記録担体上のトラックを走査する記録手段を備える。前記手段は、記録担体１１を回転させるための駆動ユニット２１、ヘッド２２、前記トラック上を径方向に粗くヘッド２２を位置決めするための位置決めユニット２５、及び制御ユニット２０を含む。ヘッド２２は、放射ビーム２４を生成するための、知られたタイプの光学系を有する。放射ビーム２４は、光学素子を通して誘導され、前記記録担体の前記情報層のトラックにおける放射スポット２３にフォーカスされる。放射ビーム２４は、例えばレーザダイオードのような放射源により生成される。前記ヘッドは更に、放射ビーム２４のフォーカスを前記ビームの光軸に沿って移動させるためのフォーカスアクチュエータと、前記トラックの中心における径方向のスポット２３の詳細な位置決めのためのトラッキングアクチュエータとを有する（図示されていない）。前記トラッキングアクチュエータは、光学素子を径方向に移動させるためのコイルを有しても良く、又は代替として反射素子の角度を変更させるように構成されても良い。情報を書き込むために、前記放射は、前記記録層において光学的に検出可能なマークを生成するように制御される。読み取りのために、前記情報層によって反射される放射が、ヘッド２２中の例えば４象限ダイオードのような通常のタイプの検出器によって検出される。前記検出器は、読み取り信号と、更に前記トラッキングアクチュエータ及びフォーカスアクチュエータを制御するためのトラッキングエラー信号及びフォーカスエラー信号を含む検出器信号とを生成する。前記読み取り信号は、情報を取得するため、復調器、デフォーマッタ及び出力ユニットを含む通常のタイプの読み取り処理ユニット３０によって処理される。それ故、情報を読み取るための取得手段は駆動ユニット２１、ヘッド２２、位置決めユニット２５及び読み取り処理ユニット３０を含む。前記装置は、ヘッド２２を駆動するための書き込み信号を生成するため入力情報を処理するための書き込み処理手段を有する。該手段は、入力ユニット２７を有しても良い。前記装置は更に、フォーマッタ２８及び変調器２９を有する変調手段を有する。ユーザビデオ情報は入力ユニット２７に供給される。該入力ユニット２７は、アナログオーディオ及び／又はビデオ、又はディジタル非圧縮オーディオ／ビデオのような入力信号用の圧縮手段を有しても良い。適切な圧縮手段は、オーディオに関しては国際特許出願公開ＷＯ９８／１６０１４−Ａ１（ＰＨＮ１６３１２）において、ビデオに関してはＭＰＥＧ規格において記載されている。前記入力信号は、代替として既に符号化されていても良い。ＭＰＥＧはInternational Standardization Organization（ＩＳＯ）のMoving Picture Expert Group（「ＭＰＥＧ」）によって確立されたビデオ信号圧縮規格である。ＭＰＥＧは、幾つかの良く知られたデータ圧縮手法を単一のシステムに統合する、多段階アルゴリズムである。ＭＰＥＧ−１は、ＩＳＯ／ＩＥＣ１１１７２において定義され、ＭＰＥＧ−２はＩＳＯ／ＩＥＣ１３８１８において定義されている。コンピュータアプリケーションについては、ホストコンピュータがフォーマッタ２８に直接インタフェース接続されても良い。それ故データインタフェースは、前記装置中の内部的なものであっても良く（例えば消費者向けビデオレコーダ）、又は外部的に利用可能なものであっても良い（例えばＰＣ周辺機器）。
【００２４】
制御ユニット２０は、情報の記録及び取得を制御し、ユーザまたはホストコンピュータからコマンドを受信するように構成されても良い。制御ユニット２０は、例えばシステムバスのような制御線２６を介して、入力ユニット２７、フォーマッタ２８、変調器２９、読み取り処理ユニット３０、駆動ユニット２１及び位置決めユニット２５に接続される。制御ユニット２０は、以下に説明されるような本発明による手順及び機能を実行するための、例えばマイクロプロセッサのような制御回路、プログラムメモリ及び制御ゲートを有する。制御ユニット２０はまた、論理回路における状態機械として実装されても良い。入力ユニット２７は、前記オーディオ及び／又はビデオを情報の単位に加工する。該情報の単位は、制御データを付加しファイル管理システムに従ってデータをフォーマットするために、フォーマッタ２８に送られる。コンピュータアプリケーションについては、前記情報の単位はフォーマッタ２８に直接接続される。フォーマッタ２８の出力部からの前記フォーマットされたデータは、変調ユニット２９に送られる。変調ユニット２９は、ヘッド２２を駆動する変調信号を生成するための、例えばチャネル符号化器を有する。変調ユニット２９は更に、前記変調された信号に同期パターンを含ませるための同期手段を有する。変調ユニット２９の入力部に供給される前記フォーマットされた単位はアドレス情報を有し、制御ユニット２０の制御の下、前記記録担体上の対応するアドレス指定可能な位置に書き込まれる。制御ユニット２０は、記録された情報ボリュームの位置を示す位置データを記録及び取得するように構成される。書き込み動作の間、前記情報を表すマークが前記記録担体に形成される。前記マークは、いずれの光学的に読み取り可能な形態であっても良い。例えば前記マークは、色素、合金又は相変化物質のような物質に記録するときに得られる、周囲とは異なる反射係数を持つエリアの形態をとっても良い。又は前記マークは、光磁気物質に記録するときに得られる、周囲とは異なる磁化の方向を持つエリアの形態をとっても良い。光ディスクへの記録のための情報の書き込み及び読み込み、有用なフォーマット、誤り訂正並びにチャネル符号化規則は、例えばＣＤシステムから当業者には良く知られている。前記マークは、通常レーザダイオードからの電磁放射のビーム２４を介して前記記録層に生成されるスポット２３によって形成されても良い。
【００２５】
前記装置は、インタフェース３３を介してフォーマッタ２８に結合された不揮発性メモリ３１を持つ。不揮発性メモリ３１はまた、インタフェース３４を介して読み取り処理ユニット３０に結合されても良い。フォーマッタ２８は、前記ユーザデータへのアクセスを制御するためのメタデータを含む情報ブロックを検出するメタデータ検出ユニット３５を備える。前記メタデータは標準化されたファイル管理システムに従ってフォーマットされても良いが、代替として例えばＤＶＤビデオレコーダにおいてオーディオ又はビデオデータにアクセスするためのメタデータであっても良い。制御ユニット２０は、前記メタデータブロックが検出された場合に、該メタデータブロックを不揮発性メモリ３１に保存するように構成される。制御ユニット２０は更に、図１を参照しながら説明されたように更新条件を検出するように構成される。制御ユニット２０は、不揮発性メモリ３１中の前記メタデータブロックを前記記録担体に記録することにより、更新処理を実行するように構成される。実施例においては、読み取り処理ユニット３０は、前記記録担体から読み取られたメタデータブロックを検出する読み取りメタデータ検出ユニット３６を備える。前記検出されたメタデータブロックは、将来の利用のために不揮発性メモリ３１に保存される。前記不揮発性メモリ中には、各ブロックの更新条件、即ち更新処理において該ブロックを前記記録担体に書き込む必要を示す各ブロック毎のインジケータが保存されていても良い。前記条件は、前記記録担体から読み取られただけのメタデータについては「更新の必要なし」となるであろう。
【００２６】
前記装置の実施例においては、前記制御ユニット及びメタデータ検出の機能並びに前記不揮発性メモリの制御は、ソフトウェアプログラムとして実装される。適切なプロセッサにおいて動作する前記ソフトウェアプログラムは、例えばインタフェースバス又はネットワークを介してＰＣに結合された光ディスクレコーダのようなディスクドライブユニットにおける記録処理の実行を制御する。前記ソフトウェアプログラムは、前記制御機能（の一部）を実行するための、ホストコンピュータにおいて動作する別個のドライバタイプのソフトウエアパッケージであっても良いし、又は例えば記憶装置中のプログラムメモリ（例えばＥＰＲＯＭフラッシュメモリ）に既に存在するソフトウェアのアップデートの形をとる、記憶装置自体に入力される実行可能なファイルであっても良い。
【００２７】
本発明は光ディスクを利用した実施例によって主に説明されたが、磁気テープを利用した記憶装置のような同様の実施例もまた適切である。また前記情報担体として光ディスクが説明されたが、磁気ディスク又はテープのような他の媒体が利用されても良い。本明細書において、「有する（comprising）」という語は列挙されたもの以外の要素又はステップの存在を除外するものではないこと、要素に先行する「１つの（a又はan）」という語は複数のかような要素の存在を除外するものではないこと、いずれの参照記号も請求の範囲を限定するものではないこと、本発明はハードウェア及びソフトウェアの両方によって実装されても良いこと、及び幾つかの「手段（means）」が同一のハードウェアのアイテムによって提供されても良いことに留意されたい。更に、本発明の範囲は実施例に限定されるものではなく、本発明は上述された新規な特徴又は特徴の組み合わせのそれぞれ及び全てに存する。
【図面の簡単な説明】
【００２８】
【図１】着脱可能な記録担体のための記憶装置を示す。
【図２（ａ）】記録担体を示す（上面図）。
【図２（ｂ）】記録担体を示す（断面図）。
【図３】光記録担体のための記録装置を示す。
【図１】
2005526350.tif 000004
2005526350.tif 000005
【図３】
2005526350.tif 000006
【国際調査報告】
2005526350.tif 000007
2005526350.tif 000008